(57)【要約】【課題】各種電子機器に使用される開閉装置に関し、確実で滑らかな開閉操作が可能なものを提供することを目的とする。【解決手段】可動カム１４の傾斜部１４Ｂと１４Ｃに窪部１５Ａと１５Ｂを設けることによって、開閉操作の都度、傾斜部１４Ｂと１４Ｃの両端によせられた潤滑剤９が、窪部１５Ａと１５Ｂから固定カム２と可動カム１４の摺動面に移動し、常に摺動面に潤滑剤が塗布された状態で開閉操作が行えるため、カムの磨耗を防ぎ、確実で滑らかな開閉操作が可能な開閉装置を得ることができる。【選択図】図１
2007182942.tif 000002
【特許請求の範囲】
【請求項１】
側面に略三角形状の固定カムが設けられた固定体と、この固定体に対し回転可能に配置されると共に、上記固定カムとの対向面に略三角形状の可動カムが設けられた可動体と、上記可動カムを上記固定カムへ弾接させるばねと、これらを収納した略円筒状のケースからなり、上記可動カムまたは固定カムの少なくとも一方の傾斜部に窪部を設けた開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の多用化や高機能化が進むなか、固定筐体に対して可動筐体が開閉可能に装着された、所謂、折畳み式のものが増えており、これらに用いられる開閉装置においても、確実で滑らかな開閉操作を行えるものが求められている。
【０００３】
このような従来の開閉装置について、図５〜図８を用いて説明する。
【０００４】
なお、これらの図面の内、断面図は固定カムと可動カムの関係を判り易くするため、径方向を拡大して表わしている。
【０００５】
図６は従来の開閉装置の断面図、図７は同分解斜視図であり、同図において、１は左側面に固定部１Ａが形成された略円筒状で金属製の固定体で、この右側面外周には、突出部２Ａ、及びこの突出部２Ａから上下へ延出する二つの傾斜部２Ｂ、２Ｃから形成された、略三角形状の一対の固定カム２が設けられている。
【０００６】
そして、３は同じく略円筒状で金属製の可動体で、固定体１に対し開閉方向へ回転可能に、かつ軸線方向へ移動可能に配置されると共に、固定カム２との対向面である左側面外周には、突出部４Ａ、及びこの突出部４Ａから上下へ延出する二つの傾斜部４Ｂ、４Ｃから形成された、略三角形状の一対の可動カム４が設けられている。
【０００７】
また、５は略円筒状で金属製のケース、６はコイル状のばねで、このケース５内に固定体１や可動体３が収納されると共に、可動体３右側面とケース５内側面の間には、ばね６がやや撓んだ状態で装着され、このばね６によって可動体３が左方向へ付勢され、可動カム４の傾斜部４Ｃが固定カム２の傾斜部２Ｂへ弾接している。
【０００８】
そして、この固定カム２と可動カム４の摺動面には、開閉操作による磨耗を防ぐため、潤滑剤９が塗布されている。
【０００９】
さらに、７は略円柱状の固定軸で、この固定軸７の左端部に固定体１が固着されて、固定部１Ａがケース５左側面から回転可能に突出すると共に、固定軸７の右端部は可動体３の中空部やばね６を挿通し、止め輪８によってケース５外側面に回転可能に装着されて、開閉装置１０が構成されている。
【００１０】
そして、このように構成された開閉装置１０は、例えば、図５の携帯電話の斜視図に示すように、固定体１の固定部１Ａが上面に複数のキーからなる操作部２２Ａやマイクロフォン等の音声入力部２２Ｂが形成された固定筐体２２へ、ケース５が表面にＬＣＤ等の表示部２３Ａやスピーカ等の音声出力部２３Ｂが形成された可動筐体２３へ各々固着され、開閉装置１０によって固定筐体２２に対して可動筐体２３が開閉可能に軸支されて電子機器が構成される。
【００１１】
以上の構成において、図６や図８（ａ）の部分断面図に示すように、可動カム４の傾斜部４Ｃが固定カム２下側の傾斜部２Ｂへ弾接した状態では、可動体３がばね６によって下方向の閉方向へ付勢されているため、ケース５が装着された可動筐体２３は、固定筐体２２に対して閉じた状態で保持されている。
【００１２】
そして、この閉状態から、可動筐体２３を手で開くと、可動筐体２３に装着固定されたケース５が回転し、可動体３がケース５内を軸線方向へ移動しながら回転するため、図８（ｂ）に示すように、可動カム４先端の突出部４Ａが、固定カム２の傾斜部２Ｂ上を上方へ弾接摺動する。
【００１３】
この後、可動カム４の突出部４Ａが固定カム２の突出部２Ａを超え、図８（ｃ）に示すように、傾斜部４Ｂが上側の傾斜部２Ｃへ弾接すると、可動体３がばね６によって上方向の開方向へ付勢されるため、この力によって可動筐体２３に開く方向の力が加わり、可動筐体２３が固定筐体２２に対して所定角度に開いた状態となる。
【００１４】
つまり、可動筐体２３に装着されたケース５を回転させることによって、ばね６に付勢された可動体３を軸線方向へ移動させ、可動カム４の傾斜部４Ｃを固定カム２の傾斜部２Ｂ、または傾斜部４Ｂを傾斜部２Ｃへ弾接させて、固定筐体２２に対する可動筐体２３の開閉操作が行われるように構成されている。
【００１５】
なお、この開閉装置１０の開閉操作時、磨耗を防ぐため固定カム２と可動カム４の摺動面に塗布された潤滑剤９は、図８（ａ）に示す閉状態から、図８（ｂ）に示す状態に、可動カム４の突出部４Ａが弾接摺動する際、一部は突出部４Ａと共に突出部２Ａの方へ移動するが、一部の潤滑剤９Ａは傾斜部４Ｃに残る。
【００１６】
そして、いったん図８（ｃ）に示す開状態にした後、再び図８（ａ）の閉状態に戻した際には、一部の潤滑剤９Ｂが傾斜部４Ｂに残り、この開閉操作が繰返されることによって、傾斜部４Ｃ上端の潤滑剤９Ａと傾斜部４Ｂ下端の潤滑剤９Ｂが増え、摺動面に塗布された潤滑剤９が減少していく。
【００１７】
つまり、当初、固定カム２と可動カム４の摺動面に均一に塗布された潤滑剤９が、開閉操作を繰返す度に、傾斜部４Ｃと４Ｂの両端によせられて少なくなり、カムの磨耗を防ぐ機能が低下して行くものであった。
【００１８】
なお、この出願の発明に関連する先行技術文献情報としては、例えば、特許文献１が知られている。
【特許文献１】特開２００４−３３２８６１号公報
【発明の開示】
【発明が解決しようとする課題】
【００１９】
しかしながら、上記従来の開閉装置においては、磨耗を防ぐため固定カム２と可動カム４の摺動面に塗布された潤滑剤９が、開閉操作を繰返すうちに少なくなるため、滑らかで確実な開閉操作が困難になるという課題があった。
【００２０】
本発明は、このような従来の課題を解決するものであり、確実で滑らかな開閉操作が可能な開閉装置を提供することを目的とする。
【課題を解決するための手段】
【００２１】
上記目的を達成するために本発明は、可動カムまたは固定カムの少なくとも一方の傾斜部に、窪部を設けて開閉装置を構成したものであり、開閉操作の都度、傾斜部の両端によせられた潤滑剤が、窪部から固定カムと可動カムの摺動面に移動し、常に摺動面に潤滑剤が塗布された状態で開閉操作が行えるため、カムの磨耗を防ぎ、確実で滑らかな開閉操作が可能な開閉装置を得ることができるという作用を有する。
【発明の効果】
【００２２】
以上のように本発明によれば、確実で滑らかな開閉操作が可能な開閉装置を実現することができるという有利な効果が得られる。
【発明を実施するための最良の形態】
【００２３】
以下、本発明の実施の形態について、図１〜図５を用いて説明する。
【００２４】
なお、これらの図面の内、断面図は固定カムと可動カムの関係を判り易くするため、径方向を拡大して表わしている。
【００２５】
また、背景技術の項で説明した構成と同一構成の部分には同一符号を付して、詳細な説明を簡略化する。
【００２６】
（実施の形態）
図１は本発明の一実施の形態による開閉装置の断面図、図２は同分解斜視図、図３は同可動体の斜視図であり、同図において、１は左側面に固定部１Ａが形成された、略円筒状で鋼や焼結合金等の金属製またはポリオキシメチレン等の絶縁樹脂製の固定体で、この右側面外周には、突出部２Ａ、及びこの突出部２Ａから上下へ延出する二つの傾斜部２Ｂ、２Ｃから形成された、略三角形状の一対の固定カム２が対称に設けられている。
【００２７】
また、１３は同じく略円筒状で金属製または絶縁樹脂製の可動体で、固定体１に対し開閉方向へ回転可能に、かつ軸線方向へ移動可能に配置されると共に、固定カム２との対向面である左側面外周には、突出部１４Ａ、及びこの突出部１４Ａから上下へ延出する二つの傾斜部１４Ｂ、１４Ｃから形成された、略三角形状の一対の可動カム１４が対称に設けられている。
【００２８】
さらに、この可動カムの傾斜部１４Ｂと１４Ｃの端部には、一対の窪部１５Ａと１５Ｂが設けられると共に、固定カム２と可動カム１４の摺動面及び窪部１５Ａと１５Ｂには、開閉操作による磨耗を防ぐため、炭化水素やフッ素、シリコン系の潤滑剤９が塗布されている。
【００２９】
そして、５は略円筒状で金属製または絶縁樹脂製のケース、６はコイル状で鋼線製のばねで、このケース５内に固定体１や可動体１３が収納されると共に、可動体１３右側面とケース５内側面の間に、ばね６がやや撓んだ状態で装着され、このばね６によって可動体１３が左方向へ付勢されて、可動カム１４の傾斜部１４Ｃが固定カム２の傾斜部２Ｂへ弾接している。
【００３０】
また、７は略円柱状の固定軸で、この固定軸７の左端部に固定体１が固着されて、固定部１Ａがケース５左側面から回転可能に突出すると共に、固定軸７の右端部は可動体１３の中空部やばね６を挿通し、止め輪８によってケース５外側面に回転可能に装着されて、開閉装置２０が構成されている。
【００３１】
そして、このように構成された開閉装置２０は、例えば、図５の携帯電話の斜視図に示すように、固定体１の固定部１Ａが上面に複数のキーからなる操作部２２Ａやマイクロフォン等の音声入力部２２Ｂが形成された固定筐体２２へ、ケース５が表面にＬＣＤ等の表示部２３Ａやスピーカ等の音声出力部２３Ｂが形成された可動筐体２３へ各々装着され、開閉装置２０によって固定筐体２２に対して可動筐体２３が開閉可能に軸支されて電子機器が構成される。
【００３２】
以上の構成において、図１や図４（ａ）の部分断面図に示すように、可動カム１４の傾斜部１４Ｃが固定カム２下側の傾斜部２Ｂへ弾接した状態では、可動体１３がばね６によって下方向の閉方向へ付勢されているため、ケース５が装着された可動筐体２３は、固定筐体２２に対して閉じた状態で保持されている。
【００３３】
そして、この閉状態から、可動筐体２３を手で開くと、可動筐体２３に装着固定されたケース５が回転し、可動体１３がケース５内を軸線方向へ移動しながら回転するため、図４（ｂ）に示すように、可動カム１４先端の突出部１４Ａが、固定カム２の突出部２Ｂ上を上方へ弾接摺動する。
【００３４】
この後、可動カム１４の突出部１４Ａが固定カム２の突出部２Ａを超え、図４（ｃ）に示すように、傾斜部１４Ｂが上側の傾斜部２Ｃへ弾接すると、可動体３がばね６によって上方向の開方向へ付勢されるため、この力によって可動筐体２３に開く方向の力が加わり、可動筐体２３が固定筐体２２に対して所定角度に開いた状態となる。
【００３５】
つまり、可動筐体２３に装着されたケース５を回転させることによって、可動体１３を軸線方向へ移動させ、ばね６に付勢された可動カム１４の傾斜部１４Ｃを固定カム２の傾斜部２Ｂ、または傾斜部１４Ｂを傾斜部２Ｃへ弾接させて、固定筐体２２に対する可動筐体２３の開閉操作が行われるように構成されている。
【００３６】
そして、この開閉装置２０の開閉操作時、磨耗を防ぐため固定カム２と可動カム４の摺動面に塗布された潤滑剤９は、図４（ａ）に示す閉状態から、図４（ｂ）に示す状態に、可動カム１４の突出部１４Ａが弾接摺動する際、一部は突出部１４Ａと共に突出部２Ａの方へ移動し、一部の潤滑剤９Ａは傾斜部１４Ｃ端部の窪部１５Ｂに溜まる。
【００３７】
また、この後、いったん図４（ｃ）に示す開状態にした後、再び図４（ａ）の閉状態に戻した際には、潤滑剤９の一部が突出部１４Ａと共に突出部２Ａの方へ移動し、一部の潤滑剤９Ｂは傾斜部１４Ｂ端部の窪部１５Ａに溜まる。
【００３８】
そして、次に、図４（ａ）の閉状態から開閉装置２０を開いた時には、窪部１５Ｂに溜まった潤滑剤９Ａが、図４（ｃ）の開状態から閉じた時には、窪部１５Ａに溜まった潤滑剤９Ｂが、各々可動カム１４と固定カム２間に付着してカム間の潤滑が行われる。
【００３９】
つまり、可動カム１４の傾斜部１４Ｂに窪部１５Ａを、傾斜部１４Ｃに窪部１５Ｂを各々設けることによって、開閉操作の度に、端部によせられた潤滑剤９が窪部１５Ａと１５Ｂに溜まり、ここからカムの摺動面に潤滑剤９が供給されるため、カム間の磨耗を防ぎ、滑らかな開閉操作が行われるようになっている。
【００４０】
このように本実施の形態によれば、可動カム１４の傾斜部１４Ｂと１４Ｃ端部に窪部１５Ａと１５Ｂを設けることによって、開閉操作の都度、傾斜部１４Ｂと１４Ｃの両端によせられた潤滑剤９が、窪部１５Ａと１５Ｂから固定カム２と可動カム１４の摺動面に移動し、常に摺動面に潤滑剤９が塗布された状態で開閉操作が行えるため、カムの磨耗を防ぎ、確実で滑らかな開閉操作が可能な開閉装置を得ることができるものである。
【００４１】
なお、以上の説明では、可動カム１４の傾斜部１４Ｂと１４Ｃ端部に窪部１５Ａと１５Ｂを設けた構成について説明したが、固定カム２の傾斜部２Ｂと２Ｃ側に窪部を形成したり、或いは、傾斜部端部ではなく突出部１４Ａや２Ａ付近に窪部を形成したりしても、本発明の実施は可能である。
【産業上の利用可能性】
【００４２】
本発明による開閉装置は、確実で滑らかな開閉操作が可能なものを得ることができ、各種電子機器に使用される開閉装置として有用である。
【図面の簡単な説明】
【００４３】
【図１】本発明の一実施の形態による開閉装置の断面図
【図２】同分解斜視図
【図３】同可動体の斜視図
【図４】同部分断面図
【図５】携帯電話の斜視図
【図６】従来の開閉装置の断面図
【図７】同分解斜視図
【図８】同部分断面図
【符号の説明】
【００４４】
１  固定体
１Ａ  固定部
２  固定カム
２Ａ  突出部
２Ｂ、２Ｃ  傾斜部
５  ケース
６  ばね
７  固定軸
８  止め輪
９  潤滑剤
１３  可動体
１４  可動カム
１４Ａ  突出部
１４Ｂ、１４Ｃ  傾斜部
１５Ａ、１５Ｂ  窪部
２０  開閉装置
２２  固定筐体
２２Ａ  操作部
２２Ｂ  音声入力部
２３  可動筐体
２３Ａ  表示部
２３Ｂ  音声出力部
【図１】
2007182942.tif 000003
【図２】
2007182942.tif 000004
【図３】
2007182942.tif 000005
【図４】
2007182942.tif 000006
【図５】
2007182942.tif 000007
【図６】
2007182942.tif 000008
【図７】
2007182942.tif 000009
【図８】
2007182942.tif 000010